(57)【要約】  【課題】  サムネイル表示によりコンテンツの情報が漏洩することを防ぐとともに、前記防止措置の実施状況を他ユーザーに認識させることのないＨＤＤレコーダを提供する。  【解決手段】  ユーザーよりコンテンツ情報表示の指示を受けた場合に、ＨＤＤレコーダ１の設定情報を参照し、コンテンツ情報擬装フラグのＯＮ／ＯＦＦの状態を確認し（Ｓ１２０）擬装フラグがＯＦＦに設定されている場合、通常通りのコンテンツ情報表示を行う（Ｓ１２５）。擬装フラグがＯＮに設定されていた場合、ＨＤＤ１３に、ユーザーが作成した擬装コンテンツ情報が記憶されているかどうかを確認し（Ｓ１３０）、記憶されている場合はユーザー作成擬装コンテンツ情報を、記憶されていない場合はデフォルトの擬装コンテンツ情報を用いて、コンテンツ情報の擬装表示を行う（Ｓ１５０）。【選択図】      図１
2007059980.tif 000002
【特許請求の範囲】
【請求項１】
ハードディスクに記憶されている映像情報の詳細情報と、前記映像情報より抽出した画
像に対して縮小処理を施すことによって作成されるサムネイルと、から構成されるコンテ
ンツ情報を表示するコンテンツ情報表示手段
を備えたハードディスクレコーダにおいて、
前記ハードディスクに記憶されている前記詳細情報、或いはユーザーが作成した前記詳
細情報をもとに虚偽の前記詳細情報を作成し、作成した虚偽の前記詳細情報を擬装用詳細
情報として前記ハードディスクに記憶する擬装用詳細情報作成手段と、
前記ハードディスクに記憶されている前記映像情報から抽出した画像、或いはユーザー
が作成した画像に対して縮小処理を施すことにより擬装用サムネイルを作成し、作成した
前記擬装用サムネイルを前記ハードディスクに記憶する擬装用サムネイル作成手段と、
前記ハードディスクレコーダの制御部が、前記コンテンツ情報の表示指示を受け付けた
際に前記コンテンツ情報の表示内容に対して擬装を行うかどうかを定めたフラグである擬
装フラグを、ユーザーからの指示により設定する擬装フラグ設定手段と、
前記制御部が、前記コンテンツ情報の表示指示を受け付け、かつ前記擬装フラグが前記
擬装フラグ設定手段により有効に設定されている場合に、前記擬装用詳細情報と前記擬装
用サムネイルとから構成される擬装コンテンツ情報を表示する擬装コンテンツ情報表示手
段と、
前記制御部が、前記映像情報の再生指示或いは編集指示を受け付け、かつ前記擬装フラ
グが前記擬装フラグ設定手段により有効に設定されている場合に、前記映像情報の再生及
び編集を制限する再生制限手段と、
前記制御部が、前記映像情報の再生指示を受け付け、かつ前記擬装フラグが前記擬装フ
ラグ設定手段により有効に設定されている場合に、前記映像情報の擬装コンテンツ情報の
内容に合わせて作成された擬装用映像情報を再生する擬装再生手段と、
前記制御部が、前記ハードディスクに記録されている情報の更新指示を受け付け、かつ
前記擬装フラグが前記擬装フラグ設定手段により有効に設定されている場合に、前記ハー
ドディスク情報の更新を制限する更新制限手段と、
前記擬装フラグが前記擬装フラグ設定手段により有効に設定されている場合に、ユーザ
ーが操作部を用いて予め定められたキー操作を行うことにより、前記擬装フラグの設定状
態を変更可能である擬装フラグ変更手段と、
を備えたことを特徴とするハードディスクレコーダ。
【請求項２】
記憶部に記憶されている映像情報の詳細情報と、前記映像情報より抽出した画像に対し
て縮小処理を施すことによって作成される代表画像と、から構成されるコンテンツ情報を
表示するコンテンツ情報表示手段
を備えた記録再生装置において、
前記記憶部に記憶されている前記詳細情報、或いはユーザーが作成した前記詳細情報を
もとに虚偽の前記詳細情報を作成し、作成した虚偽の前記詳細情報を擬装用詳細情報とし
て前記記憶部に記憶する擬装用詳細情報作成手段と、
前記記憶部に記憶されている前記映像情報から抽出した画像、或いはユーザーが作成し
た画像に対して縮小処理を施すことにより擬装用代表画像を作成し、作成した前記擬装用
代表画像を前記記憶部に記憶する擬装用代表画像作成手段と、
制御部が、前記コンテンツ情報の表示指示を受け付けた際に前記コンテンツ情報の表示
内容に対して擬装を行うかどうかを定めた情報である擬装フラグを、ユーザーからの指示
により設定する擬装フラグ設定手段と、
前記制御部が、前記コンテンツ情報の表示指示を受け付け、かつ前記擬装フラグが前記
擬装フラグ設定手段により有効に設定されている場合に、前記擬装用詳細情報と前記擬装
用代表画像とから構成される擬装コンテンツ情報を表示する擬装コンテンツ情報表示手段
と、
を備えたことを特徴とする記録再生装置。
【請求項３】
前記制御部が、前記映像情報の再生或いは編集指示を受け付け、かつ前記擬装フラグが
前記擬装フラグ設定手段により有効に設定されている場合に、前記映像情報の再生及び編
集を制限する再生制限手段
を備えたことを特徴とする請求項２に記載の記録再生装置。
【請求項４】
前記制御部が、前記映像情報の再生を受け付け、かつ前記擬装フラグが前記擬装フラグ
設定手段により有効に設定されている場合に、前記映像情報の擬装コンテンツ情報の内容
に合わせて予め作成された擬装映像情報を再生する擬装再生手段
を備えたことを特徴とする請求項２または請求項３に記載の記録再生装置。
【請求項５】
前記制御部が、前記記憶部に記録されている情報の更新指示を受け付け、かつ前記擬装
フラグが前記擬装フラグ設定手段により有効に設定されている場合に、前記記憶部情報の
更新を制限する更新制限手段
を備えたことを特徴とする請求項２乃至請求項４のいずれかに記載の記録再生装置。
【請求項６】
前記擬装フラグが前記擬装フラグ設定手段により有効に設定されている場合に、ユーザ
ーが操作部を用いて予め定められたキー操作を行うことにより、前記擬装フラグの設定状
態を変更可能である擬装フラグ変更手段
を備えたことを特徴とする請求項２乃至請求項５のいずれかに記載の記録再生装置。
【請求項７】
ハードディスクに記憶されている映像情報の詳細情報と、前記映像情報より抽出した画
像に対して縮小処理を施すことによって作成されるサムネイルと、から構成されるコンテ
ンツ情報を表示するコンテンツ情報表示工程
を有する記録再生方法において、
前記ハードディスクに記憶されている前記詳細情報、或いはユーザーが作成した前記詳
細情報をもとに虚偽の前記詳細情報を作成し、作成した虚偽の前記詳細情報を擬装用詳細
情報として前記ハードディスクに記憶する擬装用詳細情報作成工程と、
前記ハードディスクに記憶されている前記映像情報から抽出した画像、或いはユーザー
が作成した画像に対して縮小処理を施すことにより擬装用サムネイルを作成し、作成した
前記擬装用サムネイルを前記ハードディスクに記憶する擬装用サムネイル作成工程と、
前記ハードディスクレコーダの制御部が、前記コンテンツ情報の表示指示を受け付けた
際に前記コンテンツ情報の表示内容に対して擬装を行うかどうかを定めたフラグである擬
装フラグを、ユーザーからの指示により設定する擬装フラグ設定工程と、
前記制御部が、前記コンテンツ情報の表示指示を受け付け、かつ前記擬装フラグが前記
擬装フラグ設定工程により有効に設定されている場合に、前記擬装用詳細情報と前記擬装
用サムネイルとから構成される擬装コンテンツ情報を表示する擬装コンテンツ情報表示工
程と、
前記制御部が、前記映像情報の再生指示或いは編集指示を受け付け、かつ前記擬装フラ
グが前記擬装フラグ設定工程により有効に設定されている場合に、前記映像情報の再生及
び編集を制限する再生制限工程と、
前記制御部が、前記映像情報の再生指示を受け付け、かつ前記擬装フラグが前記擬装フ
ラグ設定工程により有効に設定されている場合に、前記映像情報の擬装コンテンツ情報の
内容に合わせて作成された擬装用映像情報を再生する擬装再生工程と、
前記制御部が、前記ハードディスクに記録されている情報の更新指示を受け付け、かつ
前記擬装フラグが前記擬装フラグ設定工程により有効に設定されている場合に、前記ハー
ドディスク情報の更新を制限する更新制限工程と、
前記擬装フラグが前記擬装フラグ設定工程により有効に設定されている場合に、ユーザ
ーが操作部を用いて予め定められたキー操作を行うことにより、前記擬装フラグの設定状
態を変更可能である擬装フラグ変更工程と、
を有することを特徴とする記録再生方法。
【請求項８】
記憶部に記憶されている映像情報の詳細情報と、前記映像情報より抽出した画像に対し
て縮小処理を施すことによって作成される代表画像と、から構成されるコンテンツ情報を
表示するコンテンツ情報表示工程
を有することを特徴とする記録再生方法において、
前記記憶部に記憶されている前記詳細情報、或いはユーザーが作成した前記詳細情報を
もとに虚偽の前記詳細情報を作成し、作成した虚偽の前記詳細情報を擬装用詳細情報とし
て前記記憶部に記憶する擬装用詳細情報作成工程と、
前記記憶部に記憶されている前記映像情報から抽出した画像、或いはユーザーが作成し
た画像に対して縮小処理を施すことにより擬装用代表画像を作成し、作成した前記擬装用
代表画像を前記記憶部に記憶する擬装用代表画像作成工程と、
制御部が、前記コンテンツ情報の表示指示を受け付けた際に前記コンテンツ情報の表示
内容に対して擬装を行うかどうかを定めた情報である擬装フラグを、ユーザーからの指示
により設定する擬装フラグ設定工程と、
前記制御部が、前記コンテンツ情報の表示指示を受け付け、かつ前記擬装フラグが前記
擬装フラグ設定工程により有効に設定されている場合に、前記擬装用詳細情報と前記擬装
用代表画像とから構成される擬装コンテンツ情報を表示する擬装コンテンツ情報表示工程
と、
を有することを特徴とする記録再生方法。
【請求項９】
前記制御部が、前記映像情報の再生或いは編集指示を受け付け、かつ前記擬装フラグが
前記擬装フラグ設定工程により有効に設定されている場合に、前記映像情報の再生及び編
集を制限する再生制限工程
を有することを特徴とする請求項８に記載の記録再生方法。
【請求項１０】
前記制御部が、前記映像情報の再生を受け付け、かつ前記擬装フラグが前記擬装フラグ
設定工程により有効に設定されている場合に、前記映像情報の擬装コンテンツ情報の内容
に合わせて予め作成された擬装映像情報を再生する擬装再生工程
を有することを特徴とする請求項８または請求項９に記載の記録再生方法。
【請求項１１】
前記制御部が、前記記憶部に記録されている情報の更新指示を受け付け、かつ前記擬装
フラグが前記擬装フラグ設定工程により有効に設定されている場合に、前記記憶部情報の
更新を制限する更新制限工程
を有することを特徴とする請求項８乃至請求項１０のいずれかに記載の記録再生方法。
【請求項１２】
前記擬装フラグが前記擬装フラグ設定工程により有効に設定されている場合に、ユーザ
ーが操作部を用いて予め定められたキー操作を行うことにより、前記擬装フラグの設定状
態を変更可能である擬装フラグ変更工程
を有することを特徴とする請求項８乃至請求項１１のいずれかに記載の記録再生方法。
【発明の詳細な説明】
【技術分野】
【０００１】
本発明は、映像情報および音声情報を記録するＨＤＤ（Hard Disk Drive）レコーダに
関するものであり、特にＨＤＤレコーダに記憶された映像情報の内容表示をサムネイル（
代表画像）を用いて行う場合における記録再生方法に関する。
【背景技術】
【０００２】
近年、テレビ等の映像装置において処理されるコンテンツ（番組）の記録および再生を
行うための装置として、記録媒体にＨＤＤを用いたＨＤＤレコーダ等の記録再生装置が広
く普及している。これらの記録再生装置は通常、記録（録画）したコンテンツの情報を簡
易にユーザーに提示するために、サムネイル表示機能を備えているものが多い。
【０００３】
サムネイル表示機能とは、コンテンツの一部より抽出した画像を縮小変換することによ
りサムネイルを作成し、コンテンツ一覧画面等において、コンテンツ情報の一部としてサ
ムネイルを表示する機能である。これにより、コンテンツを再生することなく、コンテン
ツが含んでいる画像を一目で視認することが可能であり、コンテンツの概要を簡易に確認
することができる。サムネイルの作成方法としては、例えばユーザーがコンテンツ内部の
画像を指定して作成する方法、もしくは、記録再生装置がコンテンツ内部からランダムに
画像を抽出して作成する方法などがある。
【０００４】
しかしながら従来のサムネイル表示機能においては、コンテンツを再生せずにサムネイ
ルによりその内容の一部が閲覧できるため、個人情報保護の観点からすると好ましくない
場合も存在した。例えばあるユーザーが、ＨＤＤレコーダに録画したコンテンツを不特定
多数の他ユーザーに閲覧されたく無い場合、ユーザーはコンテンツに視聴制限をかける必
要がある。視聴制限をかけることにより、他ユーザーは当該コンテンツを再生することが
不可能となる。しかしサムネイル表示機能により表示されるサムネイルにより、視聴制限
コンテンツの内容の一部を閲覧することが可能である。このように、従来のサムネイル表
示機能は、コンテンツの内容を簡易に確認できる反面、コンテンツの内容が漏洩しやすい
という問題を持っていた。
【０００５】
上記の問題に関連して特許文献１においては、画像データのサムネイルの表示を制限す
ることができる情報処理装置が開示されている。特許文献１の情報処理装置は、画像デー
タのアイコンが選択されたとき、設定画面の表示を制御する第１の表示制御手段と、第１
の表示制御手段により表示が制御された設定画面に基づいて、画像データのパスワードを
設定する設定手段と、設定手段によりパスワードが設定された画像データのサムネイルの
表示を制御する第２の表示制御手段とを備えることを特徴とする。
【０００６】
特許文献１の発明によれば、画像データが選択されたとき、設定画面を表示し、その設
定画面に基づいて、画像データのパスワードを設定し、パスワードが設定された画像デー
タのサムネイルの表示を制御するようにしたので、画像データのサムネイルの表示を制限
することができ、第３者に不正に利用されることを防止することができる。
【０００７】
しかしながら、上記の特許文献１に開示されている発明においては、視聴制限されてい
るコンテンツのサムネイル表示を無効とすることによりコンテンツ情報の漏洩を防止する
ことはできるが、視聴制限を行っている事自体は他ユーザーに対して知られてしまう。こ
のため、コンテンツの情報漏洩を防ぐと共に、視聴制限を行っていること自体を他ユーザ
ーに知られたくない場合には、守秘機能としては不十分であるという問題があった。
【特許文献１】特開２００１−２１５９４６号公報
【発明の開示】
【発明が解決しようとする課題】
【０００８】
本発明は、上記の問題を解決するためになされたものであって、その目的は、視聴制限
がなされているコンテンツのコンテンツ情報がサムネイル表示により不特定多数の他ユー
ザーに対して漏洩するのを防ぐとともに、視聴制限を行っていること自体も他ユーザーに
対して認識されることのない情報漏洩防止機能を備えたＨＤＤレコーダを提供することに
ある。
【課題を解決するための手段】
【０００９】
上記目的を達成するために本発明のＨＤＤレコーダは、
記憶部に記憶されている映像情報の詳細情報と、前記映像情報より抽出した画像に対して
縮小処理を施すことによって作成される代表画像と、から構成されるコンテンツ情報を表
示するコンテンツ情報表示手段
を備えた記録再生装置において、
前記記憶部に記憶されている前記詳細情報、或いはユーザーが作成した前記詳細情報を
もとに虚偽の前記詳細情報を作成し、作成した虚偽の前記詳細情報を擬装用詳細情報とし
て前記記憶部に記憶する擬装用詳細情報作成手段と、
前記記憶部に記憶されている前記映像情報から抽出した画像、或いはユーザーが作成し
た画像に対して縮小処理を施すことにより擬装用代表画像を作成し、作成した前記擬装用
代表画像を前記記憶部に記憶する擬装用代表画像作成手段と、
制御部が、前記コンテンツ情報の表示指示を受け付けた際に前記コンテンツ情報の表示
内容に対して擬装を行うかどうかを定めた情報である擬装フラグを、ユーザーからの指示
により設定する擬装フラグ設定手段と、
前記制御部が、前記コンテンツ情報の表示指示を受け付け、かつ前記擬装フラグが前記
擬装フラグ設定手段により有効に設定されている場合に、前記擬装用詳細情報と前記擬装
用代表画像とから構成される擬装コンテンツ情報を表示する擬装コンテンツ情報表示手段
と、
を備えたことを特徴としている。
【００１０】
この構成によると、
ユーザーよりコンテンツ情報の表示指示を受けた場合に、ＨＤＤレコーダの設定情報を
参照し、コンテンツ情報の擬装フラグのＯＮ／ＯＦＦを確認する。擬装フラグがＯＦＦに
設定されている場合、通常通りのコンテンツ情報表示を行う。擬装フラグがＯＮに設定さ
れている場合、記憶部に、ユーザー作成情報（ユーザーが予め作成した擬装表示用の擬装
コンテンツ情報）が記憶されているかどうかを確認する。ユーザー作成情報が記憶されて
いる場合は、ユーザー作成情報を使用してコンテンツ情報の擬装表示を行う。ユーザー作
成情報が記憶されていない場合は、予めＨＤＤレコーダが保持している擬装用データを用
いて、擬装コンテンツ情報の表示を行う。
【００１１】
またこの構成によると、
ユーザーは擬装コンテンツ情報作成画面において、擬装コンテンツ情報の作成処理を行
うことが可能である。擬装コンテンツ情報作成画面では、ＨＤＤに記憶されているデータ
を元に擬装用サムネイルを作成し、擬装用サムネイルに虚偽の録画情報を付加することに
より、擬装コンテンツ情報を作成することが可能である。作成された擬装コンテンツ情報
はＨＤＤに保存され、コンテンツ情報表示処理において、擬装コンテンツ情報として使用
することが可能である。
【００１２】
また、上記目的を達成するために本発明のＨＤＤレコーダは、
前記制御部が、前記映像情報の再生或いは編集指示を受け付け、かつ前記擬装フラグが
前記擬装フラグ設定手段により有効に設定されている場合に、前記映像情報の再生及び編
集を制限する再生制限手段
を備えたことを特徴としている。
【００１３】
この構成によると、
擬装フラグが有効に設定されている場合に、映像情報の再生或いは編集指示を受けた際
に、例えば警告等の表示を行い、再生処理及び編集処理を不可とすることが可能である。
【００１４】
また、上記目的を達成するために本発明のＨＤＤレコーダは、
前記制御部が、前記映像情報の再生を受け付け、かつ前記擬装フラグが前記擬装フラグ
設定手段により有効に設定されている場合に、前記映像情報の擬装コンテンツ情報の内容
に合わせて予め作成された擬装映像情報を再生する擬装再生手段
を備えたことを特徴としている。
【００１５】
この構成によると、
擬装フラグが有効に設定されている場合に、映像情報の再生指示を受けた際に、予めユ
ーザーによって作成された擬装用映像情報（擬装コンテンツ情報の内容に合わせて作られ
た映像情報）の再生を行うことが可能である。
【００１６】
また、上記目的を達成するために本発明のＨＤＤレコーダは、
前記制御部が、前記記憶部に記録されている情報の更新指示を受け付け、かつ前記擬装
フラグが前記擬装フラグ設定手段により有効に設定されている場合に、前記記憶部情報の
更新を制限する更新制限手段
を備えたことを特徴としている。
【００１７】
この構成によると、
擬装フラグが有効に設定されている場合に、ハードディスクに記憶されている情報に対
して変更を加えるような指示（例えばハードディスクのフォーマット等）を受けた際に、
例えば警告等の表示を行い、ハードディスクに記憶されている情報の変更処理を不可とす
ることが可能である。
【００１８】
また、上記目的を達成するために本発明のＨＤＤレコーダは、
前記擬装フラグが前記擬装フラグ設定手段により有効に設定されている場合に、ユーザ
ーが操作部を用いて予め定められたキー操作を行うことにより、前記擬装フラグの設定状
態を変更可能である擬装フラグ変更手段
を備えたことを特徴としている。
【００１９】
この構成によると、
擬装フラグが有効に設定されている場合に、解除方法を記憶しているユーザーが特定の
キー操作を行うことにより、擬装状態の解除、もしくは擬装状態の解除を行うためのパス
ワード入力画面を表示する等を行うことが可能である。
【発明の効果】
【００２０】
本発明の第一の構成によれば、コンテンツ情報が他ユーザーに知られたくない場合に、
擬装が行われていることを認識されることなくコンテンツ情報の漏洩を防ぎ、個人情報の
保護を行うことが可能である。また、擬装コンテンツ情報さえ作成しておけば、後は制御
部が自動的に擬装設定を行うため、ユーザーはコンテンツ単位で擬装設定を行う必要がな
い。このため、例えばコンテンツが１００を越えるような膨大な数である場合においても
、一つ一つのコンテンツに擬装処理を施す必要がなく、少ない作業量でコンテンツ情報の
擬装を行うことが可能となる。
【００２１】
本発明の第二の構成によれば、擬装機能が有効になっている状態において映像の再生指
示、或いは編集指示が発生した場合に、再生処理及び編集処理を不可とすることにより、
擬装中である映像情報の保護を行うことが可能である。これにより、実際に記憶されてい
る映像情報と、管理情報との関係に不整合が発生するのを防止すると共に、擬装の実施が
発覚することを防止することができる。
【００２２】
本発明の第三の構成によれば、擬装機能が有効になっている状態において映像の再生指
示が発生した場合に、予めユーザーがＨＤＤに記録している擬装用映像情報を再生する。
これにより、コンテンツ情報だけではなく、映像情報の内容に関しても擬装を行うことが
可能であるため、映像情報の再生が指示されても擬装の実施が発覚することを防止するこ
とができる。
【００２３】
本発明の第四の構成によれば、擬装機能が有効になっている状態においてＨＤＤに記憶
されている情報の更新指示が発生した場合に、更新処理を不可とすることにより、擬装中
である映像情報、およびＨＤＤに記憶されている各種情報の保護を行うことが可能である
。これにより、実際に記憶されているＨＤＤの各種情報と、管理情報との関係に不整合が
発生するのを防止することができる。
【００２４】
本発明の第五の構成によれば、擬装機能が有効になっている状態において擬装状態を解
除したい場合において、擬装解除用の画面が表示されることがないため、他ユーザーに擬
装実施中であることを認識されることがない。これにより、擬装状態であることが発覚す
ることなく、擬装の解除及び実行を行うことが可能である。
【発明を実施するための最良の形態】
【００２５】
本発明の実施の一形態について、図面に基づいて説明すれば、以下の通りである。
［実施の形態］
〈１．ＤＶＤ搭載ＨＤＤレコーダの内部構成について〉
ここで、本発明の第一の実施形態におけるＨＤＤレコーダ１の電気回路システムの要部
構成を、図３のブロック図を用いながら説明する。
【００２６】
図３のブロック図に示すように、本発明のＨＤＤレコーダ１は、少なくとも、制御部１
１、メモリ１２、ＨＤＤ１３、データ入力部１４、エンコーダ部１５、デコーダ部１６、
データ出力部１７、制御プログラム記憶部１８、操作ボタン群２１、およびフロントパネ
ル２２を含むように構成されている。
【００２７】
制御部１１は、ＨＤＤレコーダ１の各部材の駆動を有機的に制御することにより映像情
報処理（コンテンツの録画、或いは再生等）を統括制御するための中央処理装置である。
また制御部１１は、各装置（例えばＨＤＤ１３等）の制御やデータの計算、加工処理等を
行なう中枢部分となっている。
【００２８】
メモリ１２は、ＨＤＤレコーダ１が保持する各種データを一時的に記憶する媒体であり
、例えば書込可能なＲＡＭ（Random Access Memory）等により構成されている。メモリ１
２は、例えば制御部１１によって各種情報処理が行われる際の処理データや、ユーザーか
ら受けた指示命令等を一時的に記憶しておくためのバッファメモリとしての役割を持つ。
【００２９】
ＨＤＤ１３は、ＨＤＤレコーダ１が保持する各種データ（映像情報、コンテンツ情報等
）を記録するための磁気記憶媒体である。なお、ＨＤＤ１３は、複数の領域（パーティシ
ョン）に物理的に分割することが可能であり、記憶するデータの種別（映像情報、コンテ
ンツ情報等）に応じて領域別に記憶することがより望ましい。
【００３０】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００３１】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００３２】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００３３】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００３４】
制御プログラム記憶部１８は、例えば制御部１１を用いた各種処理（例えば映像データ
の入出力制御等）を行うためのプログラムデータを記憶するための媒体であり、例えば情
報の読み出しのみが可能なＲＯＭ（Read Only Memory）等が用いられる。
【００３５】
操作ボタン群２１は、ユーザーが番組の録画および録画予約等の各種指示をＨＤＤレコ
ーダ１に対して行なうための入力インターフェースである。フロントパネル２２は、ＨＤ
Ｄレコーダ１の各種情報をユーザーに対して表示するためのユーザーインタフェースであ
る。
〈２．擬装サムネイル表示工程について〉
ここで、本発明のＨＤＤレコーダ１における擬装サムネイル表示処理の処理工程を、図
１のフロー図と、図３のブロック図と、図４の画面図とを用いながら説明する。
【００３６】
図１に示すように、制御部１１がユーザーより、ＨＤＤ１３に記録されているコンテン
ツ情報の表示指示を検知することにより本処理が開始される（Ｓ１１０）。なお、コンテ
ンツ情報表示指示は、例えばユーザーが操作ボタン群２１を用いてコンテンツ一覧画面の
表示操作を行なった場合等に発行される。
【００３７】
ユーザーよりコンテンツ情報表示指示を受けた制御部１１は、ＨＤＤ１３（もしくはメ
モリ１２）に記憶されているＨＤＤレコーダ１の設定情報を参照し、設定情報の中からコ
ンテンツ情報擬装フラグのＯＮ／ＯＦＦ設定状態を確認する（Ｓ１２０）。擬装フラグが
ＯＦＦに設定されている場合、通常通りのコンテンツ情報表示を行う（Ｓ１２５）。なお
、通常通りのコンテンツ情報表示処理は従来技術と同様であるため、ここでは説明を省略
する。
【００３８】
上記Ｓ１２０において、擬装フラグがＯＮに設定されていた場合、制御部１１はＨＤＤ
１３（もしくはメモリ１２）に、後述する擬装コンテンツ情報（ユーザーが擬装用サムネ
イル等を使用して作成した擬装用のコンテンツ情報）が記憶されているかどうかを確認す
る（Ｓ１３０）。ユーザー作成による擬装コンテンツ情報が記憶されている場合、前記の
擬装コンテンツ情報を読み込む（Ｓ１４０ａ）。ユーザー作成による擬装コンテンツ情報
が記憶されていない場合、デフォルトの擬装コンテンツ情報（工場出荷時にＨＤＤレコー
ダ１に記憶されている、擬装コンテンツ情報のサンプルデータ）を読み込む（Ｓ１４０ｂ
）。
【００３９】
制御部１１は、上記Ｓ１４０ａまたは上記Ｓ１４０ｂにおいて読み出した擬装コンテン
ツ情報をもとに、コンテンツ情報の表示処理を行う（Ｓ１５０）。この具体例を、図４を
用いて説明する。図４（ａ）は、実際にＨＤＤ１３に記録されているコンテンツ情報を用
いてコンテンツの内容を表示した画面である。これに対し図４（ｂ）は、本発明によって
作成される擬装コンテンツ情報を用いてコンテンツの内容を表示した画面である。擬装フ
ラグがＯＦＦの場合は図４（ａ）が、擬装フラグがＯＮの場合は図４（ｂ）が表示される
。
【００４０】
図４（ａ）では、サムネイルに鹿や羊等が表示されており、動物に関するコンテンツで
あることが確認できる。これに対して、図４（ｂ）では、サムネイルに船や自動車等が表
示されており、乗り物に関するコンテンツであることが確認できる。しかし実際にＨＤＤ
１３に記録されているコンテンツは図４（ａ）に示すように動物に関するコンテンツであ
る。また、詳細情報（録画日時、チャンネル等）の情報も、擬装詳細情報により擬装表示
されているため、図４（ａ）と図４（ｂ）とでは、異なる内容となっている。ただし、擬
装表示の実施有無に関わらず、ＨＤＤ１３の残容量表示に対しては擬装表示を行わず、本
来の値を表示する。
【００４１】
なお、擬装コンテンツ情報が表示されているコンテンツ（例えば図４（ｂ）のサムネイ
ル画像Ａ（船）により示されるコンテンツ）に対して再生処理或いは編集処理等の指示が
なされた場合、擬装が発覚してしまう可能性がある。この場合の対処方法としては、例え
ば視聴不可の警告を表示したり、或いはデータ破損の虚偽情報を提示する等の対応処理を
行うこ。また或いは、予めＨＤＤ１３にユーザーが記憶させておいた擬装用コンテンツ（
この例では船に関するコンテンツ）を再生することにより、コンテンツ情報だけではなく
、コンテンツ内部の擬装を行っても良い。
【００４２】
また、擬装フラグがＯＮの状態において、ＨＤＤ１３に記憶されている情報の更新処理
を制限する機能が備わっていることが好ましい。例えば、擬装コンテンツ情報を用いた擬
装表示が行われている状態において、ＨＤＤ１３のフォーマット、あるいは映像情報の編
集、削除といった処理が行われると、コンテンツ情報と記憶データに不整合が発生する。
このため、擬装表示の実施中に、ＨＤＤ１３の記憶データに対して更新を行う処理命令を
受けた場合は、例えば警告を表示する等により、実施不可とすることがより望ましい。
【００４３】
また、擬装フラグがＯＮの状態において、擬装表示を通常表示に戻す機能が備わってい
ることが好ましい。この場合、擬装表示の解除方法としては、パスワードの入力や、予め
定められた一定の入力操作（例えば、再生キーの長押し等）により行われる。パスワード
の入力画面を他ユーザーに認識されたくない場合は、ユーザー設定により、パスワード入
力画面を非表示にすることも可能である。また、一定の操作を行うことによりパスワード
入力画面が表示される等の、二重認証処理により擬装解除を行うことも可能である。
〈３．擬装コンテンツ情報作成工程について〉
ここで、本発明のＨＤＤレコーダ１における擬装コンテンツ情報作成処理の処理工程を
、図２のフロー図と、図３のブロック図と、図４の画面図とを用いながら説明する。
【００４４】
図２に示すように、制御部１１がユーザーからの擬装コンテンツ情報作成指示を検知す
ることにより、本処理が開始される（Ｓ２１０）。なお、擬装コンテンツ情報作成指示は
、例えばユーザーが操作ボタン群２１を用いて擬装コンテンツ情報作成操作を行なった場
合等に発行される。
【００４５】
ユーザーより擬装コンテンツ情報作成指示を受けた制御部１１は、ユーザーに対して、
擬装コンテンツ情報に使用する擬装用サムネイルの作成数を要求する（Ｓ２２０）。ユー
ザーよりサムネイル数を選択されると、制御部は、ＨＤＤレコーダ１の装置状態を確認し
、擬装コンテンツ情報が作成出来る状態であるかどうかの確認を行う（Ｓ２３０）。例え
ば、ＨＤＤ１３に擬装コンテンツ情報を記憶するだけの残容量があるか、装置トラブルは
発生していないか、ＨＤＤ１３の書き込みが禁止されている状態（特殊処理や、高負荷の
処理が行われている場合など）ではないか、等の確認を行う。確認の結果、作成が可能と
判断された場合は、次の処理に移行する。作成が不可と判断された場合は、本処理を終了
する。
【００４６】
制御部１１は、ＨＤＤ１３より読み込んだ映像情報をもとに、擬装用サムネイル選択画
面を表示し、コンテンツの擬装に使用されるサムネイルがユーザーにより指定されるのを
待ち受ける（Ｓ２４０）。擬装用サムネイル選択画面では、例えばＨＤＤ１３より読み込
んだコンテンツのサムネイルが複数表示されており、ユーザーはその中から任意のサムネ
イルを選択することにより、擬装用サムネイルに指定することが可能である。
【００４７】
次に制御部は、選択された擬装用サムネイルに付加する虚偽の詳細情報（虚偽の録画日
時、録画モード、録画チャネル等）がユーザーより入力されるのを待ち受ける（２５０）
。これにより、擬装用サムネイルと擬装用詳細情報を合わせた情報である、擬装コンテン
ツ情報が作成される。なお、選択した擬装用サムネイルおよび作成した擬装用詳細情報は
、本処理終了後も再度繰り返し使用されることを前提として、ＨＤＤ１３に記憶すること
が可能である。この場合、通常のコンテンツ情報を記憶するコンテンツ情報記憶領域とは
物理的に分割された領域である擬装コンテンツ情報記憶領域に記憶することがより望まし
い。
【００４８】
ユーザーにより擬装コンテンツ情報が作成されたことを検知した制御部１１は、ユーザ
ーに対して、作成した擬装コンテンツ情報を保存するかどうかの確認を行う（Ｓ２６０）
。保存しないと指示された場合、再度Ｓ２４０に移行し、再度擬装コンテンツ情報作成画
面を表示する。保存が指示された場合、制御部１１はユーザーに対して保存エリアの選択
を要求する（Ｓ２７０）。これにより例えばユーザーは、作成した擬装コンテンツ情報を
ＨＤＤ１３のコンテンツ情報記憶領域に記憶するか、それとも擬装コンテンツ情報記憶領
域に記憶するかを選択することが可能となる。
【００４９】
ユーザーより保存エリア確定の指示を受けた場合（Ｓ２８０）、制御部１１は、ユーザ
ーにより指定された保存エリアに対して、擬装コンテンツ情報を保存する（Ｓ２９０）。
ユーザーより保存エリア決定の指示を受け無かった場合（Ｓ２８０）、Ｓ２４０に移行し
、再度擬装コンテンツ情報作成画面を表示する。
【００５０】
なお、本実施例ではＨＤＤ１３より読み込んだ映像情報をもとに、擬装用サムネイル及
び擬装コンテンツ情報を作成しているが、予め作成されてＨＤＤ１３に記憶されている擬
装用サムネイル、擬装用詳細情報、或いは擬装コンテンツ情報をもとに、擬装用サムネイ
ル及び擬装用詳細情報を作成し、それらをもとに擬装コンテンツ情報を作成することも可
能である。
〈４．本発明の種々ある特徴について〉
本実施形態によると、ユーザーよりコンテンツ情報表示指示を受けた場合に、ＨＤＤレ
コーダ１の設定情報を参照し、コンテンツ情報擬装フラグのＯＮ／ＯＦＦの状態を確認し
（Ｓ１２０）擬装フラグがＯＦＦに設定されている場合、通常通りのコンテンツ情報表示
を行う（Ｓ１２５）。擬装フラグがＯＮに設定されていた場合、ＨＤＤ１３に、ユーザー
が作成した擬装コンテンツ情報が記憶されているかどうかを確認し（Ｓ１３０）、記憶さ
れている場合は記憶されているユーザー作成擬装コンテンツ情報を、記憶されていない場
合は、デフォルトの（工場出荷時にＨＤＤ１３に記憶されている）擬装コンテンツ情報を
用いて、コンテンツ情報の擬装表示処理を行う（Ｓ１５０）。
【００５１】
これにより、コンテンツ情報が他ユーザーに知られたくない場合に、擬装コンテンツ情
報を用いて、擬装が行われていることを認識されることなく、コンテンツ情報の漏洩を防
ぎ、個人情報の保護を行うことが可能である。
【００５２】
また本実施形態によると、ユーザーは擬装コンテンツ情報作成画面において、擬装コン
テンツ情報の作成処理を行うことが可能である。擬装コンテンツ情報作成画面では、ＨＤ
Ｄ１３に記憶されているデータをもとに擬装用サムネイルを作成し、擬装用サムネイルに
虚偽の録画情報（擬装用詳細情報）を付加することにより、擬装コンテンツ情報を作成す
ることが可能である。作成された擬装コンテンツ情報はＨＤＤ１３に保存され、コンテン
ツ情報表示処理において、擬装コンテンツ情報として使用することが可能である。
【００５３】
これにより、ユーザーは擬装コンテンツ情報をコンテンツ単位で作成する必要がなく、
また、擬装コンテンツ情報を作成していない場合でもデフォルトの擬装コンテンツ情報を
用いて擬装表示を行うことができるため、ユーザーにとって少ない作業量でコンテンツ情
報の擬装を行うことができ、利便性の向上を図ることができる。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００５４】
例えば前述した実施形態の機能を実現するソフトウェアのプログラムコードを記録した
記憶媒体を、ＨＤＤレコーダ１に供給し、そのＨＤＤレコーダ１内のコンピュータ（例え
ばＣＰＵ）が記憶媒体に格納されたプログラムコードを読出し実行することによっても、
達成されることは言うまでもない。
【００５５】
この場合、記憶媒体から読出されたプログラムコード自体が、前述した実施形態の機能
を実現することになり、そのプログラムコードを記憶した記憶媒体は本発明を構成するこ
とになる。
【００５６】
なお、プログラムコードを供給するための記憶媒体としては、例えば、フロッピディス
ク、ＨＤＤ、光ディスク、光磁気ディスク、ＣＤ−ＲＯＭ、ＣＤ−Ｒ、磁気テープ、不揮
発性のメモリカード、ＲＯＭなどを用いることができる。
【００５７】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００５８】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００５９】
また、本発明の映像情報処理方法が、ＨＤＤレコーダ以外の記録再生装置において用い
られたとしても、同様の効果がえられることは言うまでもない。なお、記録再生装置とし
ては、ビデオテープレコーダ（ＶＴＲ）、ＤＶＤレコーダ、ＤＶレコーダ、デジタルビデ
オカメラ、パソコン等が挙げられる。
【図面の簡単な説明】
【００６０】
【図１】本発明のＨＤＤレコーダによる擬装コンテンツ情報表示処理の処理フロー図である。
【図２】本発明のＨＤＤレコーダによる擬装コンテンツ情報作成処理の処理フロー図である。
【図３】本発明のＨＤＤレコーダ内部の要部構成を示したブロック図である。
【図４】本発明のＨＤＤレコーダにおけるコンテンツ情報表示画面の一例を示した画面図である。
【符号の説明】
【００６１】
１      ＨＤＤレコーダ（記録再生装置）
１１    制御部
１２    メモリ
１３    ＨＤＤ（記憶部）
１４    データ入力部
１５    エンコーダ部
１６    デコーダ部
１７    データ出力部
【図１】
2007059980.tif 000003
【図２】
2007059980.tif 000004
【図３】
2007059980.tif 000005
【図４】
2007059980.tif 000006